(57)【要約】      （修正有）【課題】画像データの漏洩に対するセキュリティーを高める画像形成装置を提供する。【解決手段】システム制御部２１２が開始ボタンによる開始の指示に先駆け、スキャナー部２２０に対し原稿の画像を読み取らせ、スキャナー部が読み取った画像データをＲＡＭ２０５のワークエリアに記憶させる。開始ボタンによる開始の指示があると、システム制御部が画像処理部２１０に対し画像処理を指示し、プリンター制御部２０２、ＦＡＸ制御部２０３、ネットワーク制御部２０４などに対し画像処理された画像データに基づく各種機能を実行させた後、開閉検知センサー２２５又は原稿検知センサー２２６による検知結果に応じて、ＲＡＭのワークエリアに記憶されている画像データを消去する。これにより、システム制御部がＲＡＭのワークエリアに記憶されている画像データを容易かつ確実に消去する。【選択図】図２
2017034503.tif 000002
【特許請求の範囲】
【請求項１】
原稿のセットを検知する原稿セット検知部と、
前記原稿の画像を読み取るスキャナー部と、
前記スキャナー部が読み取った画像データを記憶するメモリーと、
前記画像データに対し画像処理する画像処理部と、
開始ボタンによる開始の指示に従い、各種機能を実行する各種機能実行部と、
前記開始ボタンによる開始の指示に先駆け、前記原稿セット検知部が前記原稿のセットを検知すると、前記スキャナー部に対し前記原稿の画像を読み取らせ、前記スキャナー部が読み取った画像データを前記メモリーに記憶させるシステム制御部とを備え、
前記システム制御部は、
前記開始ボタンによる開始の指示があると、前記画像処理部に対し画像処理を指示し、前記各種機能実行部に対し前記画像処理された画像データに基づく各種機能を実行させた後、前記原稿セット検知部による検知結果に応じて、前記メモリーに記憶されている前記画像データを消去する
ことを特徴とする画像形成装置。
【請求項２】
前記原稿セット検知部は、
原稿台のカバーの開閉を検知する開閉検知センサーを有し、
前記システム制御部は、前記開閉検知センサーが前記カバーの開を検知したとき、前記画像データを消去する
ことを特徴とする請求項１に記載の画像形成装置。
【請求項３】
前記原稿セット検知部は、
原稿を自動給紙する自動給紙装置にセットされた原稿を検知する原稿検知センサーを有し、
前記システム制御部は、前記原稿検知センサーが新たな原稿を検知したとき、前記画像データを消去する
ことを特徴とする請求項１又は２に記載の画像形成装置。
【請求項４】
前記システム制御部は、前記開始ボタンによる開始の指示の後、再度、前記開始ボタンによる開始の指示があった場合、前回の前記開始の指示から今回の前記開始の指示までの間に機能及び／又は設定の変更があれば、前記画像処理部に対し変更された前記機能及び／又は設定に基づく画像処理を指示し、前記各種機能実行部に対し前記画像処理された画像データに基づいて変更された前記機能を実行させた後、前記原稿セット検知部による検知結果に応じて、前記メモリーに記憶されている前記画像データを消去する
ことを特徴とする請求項１から３のいずれかに記載の画像形成装置。
【発明の詳細な説明】
【技術分野】
【０００１】
本発明は、画像形成を行う画像形成装置に関する。
【背景技術】
【０００２】
画像形成を行う画像形成装置として、多機能プリンター、複合機などのＭＦＰ（Ｍｕｌｔｉｆｕｎｃｔｉｏｎ  Ｐｅｒｉｐｈｅｒａｌ）などが知られている。
【０００３】
このような画像形成装置には、ユーザーの開始指示に先駆けて、原稿台又は自動給紙装置（ＡＤＦ：Ａｕｔｏ  Ｄｏｃｕｍｅｎｔ  Ｆｅｅｄｅｒ）にセットした原稿の画像をスキャナー部によって読み取る前処理のための機能が搭載されているものがある。
【０００４】
このような前処理のための機能を搭載したものとして、特許文献１では、ユーザーによる画像形成開始のボタン操作より前に行われるセット動作を検知すると、ユーザーによる画像形成開始のボタン操作の有無にかかわらず、予め設定された処理条件による画像データの読み込みからその画像データに対する画像処理、ならびにプリントエンジンの起動までを前処理として行うようにした画像形成装置を提案している。
【０００５】
ここで、セット動作とは、プラテンカバーの開閉や自動給紙装置（ＡＤＦ）への原稿のセットとされている。また、予め設定された処理条件とは、「コピー設定」を例にした場合、大別して「スキャン設定」と「出力設定」とがあり、それぞれの設定で入力されたパラメーターとされている。
【先行技術文献】
【特許文献】
【０００６】
【特許文献１】特開２００７−０７４０４９号公報
【発明の概要】
【発明が解決しようとする課題】
【０００７】
上述した特許文献１の画像比較装置では、原稿のセット動作を検知すると、画像データの読み込みからその画像データに対する画像処理、ならびにプリントエンジンの起動までを前処理として行う。そのため、予め設定された処理条件のままユーザーが画像形成開始のボタン操作を行った場合には用紙へのプリント出力が即座に実行される。
【０００８】
ところで、画像形成装置には、たとえば印刷機能、コピー機能、ＦＡＸ機能、ネットワーク経由でのデータ送受信機能、ボックス機能などが搭載されている。そして、スキャナー部によって読み取られた画像データは、画像処理部により、ユーザーによるいずれかの機能の設定に従った画像処理が行われるために、一旦、揮発性メモリーであるＲＡＭ（Ｒａｎｄｏｍ  Ａｃｃｅｓｓ  Ｍｅｍｏｒｙ）などのワークエリアに記憶される。
【０００９】
ここで、ＲＡＭなどのワークエリアに記憶された画像データは、画像形成装置の電源がＯＦＦにされると、消去される。そのため、機密情報などの画像データがＲＡＭなどのワークエリアに記憶されていた場合でも、画像形成装置の電源がＯＦＦにされると消去されるため、セキュリティー上、画像形成装置の電源を頻繁にＯＦＦすることが好ましい。
【００１０】
ところが、画像形成装置の多くは、自動的な構成管理、遠隔地からの保守点検、課金情報の収集などのために、常にネットワークに接続されている状況にある。そのため、外部からの不正アクセスによって機密情報などの画像データが漏洩してしまうおそれがある。また、画像形成装置での上述した各種機能の設定は、変更が行われないとき、以前の設定を引き継ぐことが多い。これは、たとえば頻繁にコピー機能が使用される状況にあるとき、その都度、各種機能の設定を受け付けるようにすると、操作性が低下してしまうためである。
【００１１】
このような状況下で、上述したユーザーの開始指示に先駆けて、原稿の画像を読み取る前処理のための機能が搭載されている画像形成装置では、機密情報などの画像データがＲＡＭなどのワークエリアに記憶されていた場合、第三者が画像形成開始のボタン操作を行うと、以前の設定に従って、自動的に機密情報などの画像データが出力されてしまうため、機密情報などの画像データが漏洩してしまうおそれがある。
【００１２】
このようなことから、ユーザーの開始指示に先駆けて、原稿の画像を読み取る前処理のための機能が搭載されている画像形成装置にあっては、セキュリティー上、いずれかの上述した各種機能の使用後、ＲＡＭなどのワークエリアに記憶されている画像データを容易かつ確実に消去できる機能の開発が望まれていた。
【００１３】
本発明は、このような状況に鑑みてなされたものであり、上記問題点を解消することができる画像形成装置を提供することを目的とする。
【課題を解決するための手段】
【００１４】
本発明の画像形成装置は、原稿のセットを検知する原稿セット検知部と、前記原稿の画像を読み取るスキャナー部と、前記スキャナー部が読み取った画像データを記憶するメモリーと、前記画像データに対し画像処理する画像処理部と、開始ボタンによる開始の指示に従い、各種機能を実行する各種機能実行部と、前記開始ボタンによる開始の指示に先駆け、前記原稿セット検知部が前記原稿のセットを検知すると、前記スキャナー部に対し前記原稿の画像を読み取らせ、前記スキャナー部が読み取った画像データを前記メモリーに記憶させるシステム制御部とを備え、前記システム制御部は、前記開始ボタンによる開始の指示があると、前記画像処理部に対し画像処理を指示し、前記各種機能実行部に対し前記画像処理された画像データに基づく各種機能を実行させた後、前記原稿セット検知部による検知結果に応じて、前記メモリーに記憶されている前記画像データを消去することを特徴とする。
また、前記原稿セット検知部は、原稿台のカバーの開閉を検知する開閉検知センサーを有し、前記システム制御部は、前記開閉検知センサーが前記カバーの開を検知したとき、前記画像データを消去することを特徴とする。
また、前記原稿セット検知部は、原稿を自動給紙する自動給紙装置にセットされた原稿を検知する原稿検知センサーを有し、前記システム制御部は、前記原稿検知センサーが新たな原稿を検知したとき、前記画像データを消去することを特徴とする。
また、前記システム制御部は、前記開始ボタンによる開始の指示の後、再度、前記開始ボタンによる開始の指示があった場合、前回の前記開始の指示から今回の前記開始の指示までの間に機能及び／又は設定の変更があれば、前記画像処理部に対し変更された前記機能及び／又は設定に基づく画像処理を指示し、前記各種機能実行部に対し前記画像処理された画像データに基づいて変更された前記機能を実行させた後、前記原稿セット検知部による検知結果に応じて、前記メモリーに記憶されている前記画像データを消去することを特徴とする。
本発明の画像形成装置では、システム制御部が開始ボタンによる開始の指示に先駆け、原稿セット検知部が前記原稿のセットを検知すると、スキャナー部に対し原稿の画像を読み取らせ、スキャナー部が読み取った画像データをメモリーに記憶させる。そして、開始ボタンによる開始の指示があると、システム制御部が画像処理部に対し画像処理を指示し、各種機能実行部に対し画像処理された画像データに基づく各種機能を実行させた後、原稿セット検知部による検知結果に応じて、メモリーに記憶されている画像データを消去する。これにより、メモリーに記憶されている画像データを容易かつ確実に消去できる。
【発明の効果】
【００１５】
本発明の画像形成装置によれば、システム制御部がメモリーに記憶されている画像データを容易かつ確実に消去するので、画像データの漏洩に対するセキュリティーを高めることができる。
【図面の簡単な説明】
【００１６】
【図１】本発明の画像形成装置をＭＦＰに適用した場合の一実施形態に係る、ＭＦＰの概要を説明するための図である。
【図２】図１のＭＦＰの内部構成を説明するための図である。
【図３】図２のシステム制御部による、原稿台にセットされた原稿の画像を、ユーザーの開始指示に先駆けて読み取る前処理について説明するためのフローチャートである。
【図４】図２のシステム制御部による、ＡＤＦにセットされた原稿の画像を、ユーザーの開始指示に先駆けて読み取る前処理について説明するためのフローチャートである。
【発明を実施するための形態】
【００１７】
以下、本発明の画像形成装置の一実施形態を、図１〜図４を参照しながら説明する。なお、以下の説明においての画像形成装置の一例としては、たとえば印刷機能、コピー機能、ＦＡＸ機能、ネットワーク経由でのデータ送受信機能、ボックス機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１８】
まず、図１を参照し、ＭＦＰの概要について説明する。ＭＦＰ１００は、ＭＦＰ本体１０１の上部に読み取り部１１０を設けている。読み取り部１１０の下方には、画像形成部１２０と用紙供給部１３０とが設けられている。
【００１９】
読み取り部１１０には、フラットベット部１１１が設けられている。フラットベット部１１１の側面には、開始ボタンを含むボタン操作部１１２とタッチ操作が可能なパネル部１１３とが設けられている。フラットベット部１１１の上面には、図示しない透明ガラス板からなる原稿台が設けられている。
【００２０】
また、フラットベット部１１１の上部には、排紙トレイ１１４を有するカバー１１５と、給紙トレイ１１６を有する自動給紙装置（以下、ＡＤＦという）１１７とが設けられている。カバー１１５とＡＤＦ１１７とは一体化されている。また、カバー１１５及びＡＤＦ１１７は、背面側を支点として開閉するように、フラットベット部１１１に装着されている。そして、カバー１１５及びＡＤＦ１１７を開放すると、フラットベット部１１１の上面の原稿台が露出する。
【００２１】
なお、原稿台の下方には、後述のスキャナー部２２０が配置されている。このスキャナー部２２０は、詳細については省略するが、原稿台に原稿がセットされると、図中左から右方向に移動しつつ原稿の画像を読み取る。また、ＡＤＦ１１７の給紙トレイ１１６に原稿がセットされると、ＡＤＦ１１７が給紙トレイ１１６上の原稿を１枚ずつ引き込み、下方に位置している後述のスキャナー部２２０上を通過させてカバー１１５の排紙トレイ１１４に排紙させる。このとき、ＡＤＦ１１７の下方に位置している後述のスキャナー部２２０が原稿の画像を読み取る。
【００２２】
なお、カバー１１５及びＡＤＦ１１７の開閉は、後述の開閉検知センサー２２４によって検知される。また、原稿台にセットされた図示しない原稿は、後述の原稿検知センサー２２５によって検知される。また、ＡＤＦ１１７にセットされた図示しない原稿は、後述の原稿検知センサー２２６によって検知される。
【００２３】
画像形成部１２０には、用紙に対して静電潜像を形成するドラム状の感光体などが設けられている。また、画像形成部１２０には、静電潜像を形成した用紙を排紙するための排紙トレイ１２１が設けられている。
【００２４】
用紙供給部１３０には、複数の給紙カセット１３１が設けられている。それぞれの給紙カセット１３１には、サイズや種類などが異なる複数枚の用紙を収容することができる。印刷やコピーの際には、給紙カセット１３１を指定することで、指定された給紙カセット１３１内の用紙が図示しない搬送ローラなどにより、画像形成部１２０側に送り出される。そして、画像形成部１２０で静電潜像が形成された用紙は、排紙トレイ１２１に排紙される。
【００２５】
次に、図２を参照し、ＭＦＰ１００の内部構成の一例について説明する。ＭＦＰ１００は、制御部２００、スキャナー部２２０、プリンター部２２１、ＦＡＸ部２２２、開閉検知センサー２２４、原稿検知センサー２２５、２２６、パネル部１１３、ＨＤＤ（Ｈａｒｄ  Ｄｉｓｋ  Ｄｒｉｖｅ）２２７を備えている。
【００２６】
スキャナー部２２０は、イメージセンサ（図示省略）によって読み取られる、図示しない原稿の画像信号をデジタルの画像データに変換し、制御部２００に入力するデバイスである。
【００２７】
プリンター部２２１は、制御部２００から出力される画像データに基づき、用紙上に画像を印刷するデバイスである。ＦＡＸ部２２２は、制御部２００から出力される画像データを、電話回線を通じ相手方となるファクシミリへと送信し、また、相手方ファクシミリからの画像データを受信して制御部２００に入力するデバイスである。
【００２８】
開閉検知センサー２２４は、カバー１１５の開閉を検知するデバイスである。開閉検知センサー２２４としては、カバー１１５の開閉に連動してオンオフするメカニカルスイッチであってもよいし、外光の有無を検出する光センサーであってもよい。原稿検知センサー２２５は、図示しない原稿台にセットされた原稿を検知するデバイスである。原稿検知センサー２２６は、ＡＤＦ１１７にセットされた原稿を検知するデバイスである。原稿検知センサー２２５、２２６は、反射型又は透過型の光センサーを用いることができる。
【００２９】
パネル部１１３は、ＭＦＰ１００の印刷機能、コピー機能、ＦＡＸ機能、ネットワーク経由でのデータ送受信機能、ボックス機能のいずれかの選択や、各種設定のための表示を行うデバイスである。
【００３０】
ＨＤＤ２２７は、ＭＦＰ１００の種々の機能を提供するためのアプリケーションプログラムなどが記憶されている。ＨＤＤ１３４は、ハードディスクドライブである。
【００３１】
制御部２００は、画像形成プログラム、その他の制御プログラムを実行してＭＦＰ２００全体の動作を制御するプロセッサーである。制御部２００は、スキャナー制御部２０１、プリンター制御部２０２、ＦＡＸ（Ｆａｃｓｉｍｉｌｅ）制御部２０３、ネットワーク制御部２０４、ＲＡＭ（Ｒａｎｄｏｍ  Ａｃｃｅｓｓ  Ｍｅｍｏｒｙ）２０５、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２０６、センサー制御部２０７、操作制御部２０８、ＡＤＦ制御部２０９、画像処理部２１０、ＨＤＤ制御部２１１、システム制御部２１２を備えている。また、これらは、データバス２１３に接続されている。
【００３２】
スキャナー制御部２０１は、スキャナー部２２０の読み取り動作を制御する。プリンター制御部２０２は、プリンター部２２１の印刷動作を制御する。ＦＡＸ制御部２０３は、ＦＡＸ部２２２による画像データの送受信動作を制御する。
【００３３】
ネットワーク制御部２０４は、図示しないＩ／Ｆ（インターフェース）を介しネットワーク２２３経由でのデータなどの送受信の制御を行う。
【００３４】
ＲＡＭ２０５は、プログラムを実行するためのワークメモリである。また、ＲＡＭ２０５の記憶領域は、スキャナー部２２０が読み込んだ画像データを保持するワークエリアとして用いられる。ＥＥＰＲＯＭ２０６は、書き換え可能な不揮発性メモリーである。ＥＥＰＲＯＭ２０６には、各部の動作チェックなどを行う制御プログラムが記憶されている。また、ＥＥＰＲＯＭ２０６には、アプリケーションプログラムにより実行した動作についてのログ情報なども記憶されている。
【００３５】
センサー制御部２０７は、開閉検知センサー２２４、原稿検知センサー２２５、２２６の検知動作を制御する。操作制御部２０８は、パネル部１１３の表示動作を制御する。また、操作制御部２０８は、ボタン操作部１１２及びパネル部１１３における操作を受け付けて、受け付けた操作の内容をＲＡＭ２０５に記憶する。
【００３６】
ＡＤＦ制御部２０９は、ＡＤＦ１１７の自動給紙動作を制御する。画像処理部２１０は、画像データに対する画像処理を行う。ＨＤＤ制御部２１１は、ＨＤＤ２２７に対するデータの書き込みや読み出しなどを制御する。システム制御部２１２は、各部の連携動作などを制御する。また、システム制御部２１２は、詳細は後述するが、ユーザーの開始指示に先駆けて、原稿の画像を読み取る前処理の制御や、読み取った画像データの消去の制御を行う。また、システム制御部２１１は、ＲＡＭ２０５に記憶されている操作の内容を読み出して保持する。
【００３７】
次に、図３及び図４を参照し、ユーザーの開始指示に先駆けて、原稿台又はＡＤＦ１１７にセットした原稿の画像をスキャナー部２２０によって読み取る前処理について説明する。なお、以下の説明においては、スキャナー部２２０によって読み取られた画像データは、ＲＡＭ２０５のワークエリアに一旦記憶されるものとする。
【００３８】
まず、図３により、システム制御部２１２による、原稿台にセットされた原稿の画像を、ユーザーの開始指示に先駆けて読み取る前処理について説明する。
【００３９】
（ステップＳ１０１）
まず、システム制御部２１２は、原稿台に原稿がセットされたかどうかを判断する。この場合、原稿検知センサー２２５が原稿台上の原稿を検出すると、センサー制御部２０７がシステム制御部２１２に原稿台上の原稿を検出したことを通知する。これにより、システム制御部２１２は、原稿台に原稿がセットされたと判断する（ステップＳ１０１：Ｙｅｓ）。これに対し、原稿検知センサー２２６がＡＤＦ１１７の給紙トレイ１１６上の原稿を検出した場合、システム制御部２１２は、原稿台に原稿がセットされていないと判断する（ステップＳ１０１：Ｎｏ）と、後述する図４のステップＳ１２１に移行する。
【００４０】
（ステップＳ１０２）
システム制御部２１２は、スキャナー制御部２０１を制御し、スキャナー部２２０による原稿の画像を読み取らせる。このとき、スキャナー制御部２０１は、スキャナー部２２０が対応している最高の解像度及び／又はカラーモードで原稿の画像を読み取らせてもよい。
【００４１】
（ステップＳ１０３）
システム制御部２１２は、スキャナー部２２０による原稿の画像の読み取りが終了したかどうか判断する。この場合、システム制御部２１２は、スキャナー制御部２０１からスキャナー部２２０による原稿の画像の読み取り終了の通知があるまで待ち（ステップＳ１０３：Ｎｏ）、スキャナー制御部２０１からスキャナー部２２０による原稿の画像の読み取り終了の通知があると、原稿の読み取りが終了したと判断する（ステップＳ１０３：Ｙｅｓ）。
【００４２】
（ステップＳ１０４）
システム制御部２１２は、スキャナー部２２０によって読み取られた原稿の画像データを、ＲＡＭ２０５のワークエリアに一旦記憶させる。
【００４３】
（ステップＳ１０５）
システム制御部２１２は、機能及び／又は条件の設定変更があるかどうかを判断する。ここで、機能とは、上述した印刷機能、コピー機能、ＦＡＸ機能、ネットワーク経由でのデータ送受信機能、ボックス機能を意味する。また、条件とは、たとえばコピー機能を例にすると、出力用紙サイズ、拡大縮小倍率、カラー、モノクロなどの指定内容を意味する。
なお、これらの機能及び／又は条件の設定変更は、パネル部１１３による操作や携帯端末による操作によって行うことができるが、本実施形態ではパネル部１１３による操作によって行われるものとする。
この場合、システム制御部２１２は、操作制御部２０８からの設定変更の通知があると、機能及び／又は条件の設定変更があると判断する（ステップＳ１０５：Ｙｅｓ）。これに対し、システム制御部２１２は、操作制御部２０８からの設定変更の通知がなければ、機能及び／又は条件の設定変更がないと判断する（ステップＳ１０５：Ｎｏ）。
【００４４】
（ステップＳ１０６）
システム制御部２１２は、機能及び／又は条件の設定変更があると判断すると、操作制御部２０８からの設定変更の内容を保持する。なお、設定変更の内容の保持は、たとえばＲＡＭ２０５のワークエリアに記憶させることで行うことができる。
【００４５】
（ステップＳ１０７）
システム制御部２１２は、開始ボタンが操作されたかどうかを判断する。システム制御部２１２は、操作制御部２０８からの開始ボタンの操作ありの通知を待ち（ステップＳ１０７：Ｎｏ）、操作制御部２０８からの開始ボタンの操作ありの通知を受け取ると、開始ボタンが操作されたと判断する（ステップＳ１０７：Ｙｅｓ）。
【００４６】
（ステップＳ１０８）
システム制御部２１２は、開始ボタンが操作されると、画像処理部２１０に対してＲＡＭ２０５のワークエリアに記憶されている画像データに対する画像処理を行わせる。システム制御部２１２は、ステップＳ１０６で設定変更の内容を保持した場合、画像処理部２１０に対し、その保持した設定変更の内容で画像処理部２１０に対しＲＡＭ２０５のワークエリアに記憶されている画像データに対する画像処理を行わせる。
なお、ＭＦＰ１００での上述した機能及び／又は条件の設定は、変更が行われないとき、以前の設定内容を引き継ぐことが多い。これは、たとえば頻繁にコピー機能が使用される状況にあるとき、その都度、機能及び／又は条件の設定を受け付けるようにすると、操作性が低下してしまうためである。
この場合、システム制御部２１２は、ステップＳ１０５で機能及び／又は条件の設定変更がなければ、以前の設定内容で画像処理部２１０に対しＲＡＭ２０５のワークエリアに記憶されている画像データに対する画像処理を行わせる。
また、システム制御部２１２は、画像処理部２１０に対し、たとえばコピー機能に対する画像処理を行わせた際、画像処理部２１０による画像データに対する画像処理が終了すると、プリンター制御部２０２を介してプリンター部２２１による用紙への印刷を行わせる。
【００４７】
（ステップＳ１０９）
システム制御部２１２は、一連の処理が終了したかどうかを判断する。ここで一連の処理とは、画像処理部２１０に対する画像処理と、プリンター部２２１による用紙への印刷処理とを意味する。
この場合、システム制御部２１２は、画像処理部２１０からの画像処理の終了の通知と、プリンター制御部２０２からの印刷処理の終了の通知とを待ち（ステップＳ１０９：Ｎｏ）、画像処理部２１０からの画像処理の終了の通知と、プリンター制御部２０２からの印刷処理の終了の通知とを受け取ると、一連の処理が終了したと判断する（ステップＳ１０９：Ｙｅｓ）。
【００４８】
（ステップＳ１１０）
システム制御部２１２は、機能及び／又は条件の設定変更があるかどうかを判断する。この場合、システム制御部２１２は、上記同様に、操作制御部２０８からの設定変更の通知があると、機能及び／又は条件の設定変更があると判断し（ステップＳ１１０：Ｙｅｓ）、ステップＳ１０６に移行する。
これに対し、システム制御部２１２は、上記同様に、操作制御部２０８からの設定変更の通知がなければ、機能及び／又は条件の設定変更がないと判断する（ステップＳ１１０：Ｎｏ）。
【００４９】
（ステップＳ１１１）
システム制御部２１２は、カバー１１５が開閉されたかどうかを判断する。この場合、システム制御部２１２は、センサー制御部２０７からの開閉検知センサー２２４による検知結果の通知が無ければカバー１１５が開閉されないと判断し（ステップＳ１１１：Ｎｏ）、ステップＳ１１０に移行する。
これに対し、センサー制御部２０７からの開閉検知センサー２２４による検知結果の通知があると、カバー１１５が開閉されたと判断する（ステップＳ１１１：Ｙｅｓ）。
【００５０】
（ステップＳ１１２）
システム制御部２１２は、カバー１１５が開閉されたと判断すると、ＲＡＭ２０５のワークエリアに記憶されている画像データを消去する。
【００５１】
なお、システム制御部２１２は、ステップＳ１１１において、カバー１１５が開閉されたと判断した後、原稿台に新たな原稿がセットされたかどうかを判断するようにしてもよい。この場合、原稿検知センサー２２５が原稿台上の原稿を検出すると、センサー制御部２０７がシステム制御部２１２に原稿台上の新たな原稿を検出したことを通知する。これにより、システム制御部２１２は、原稿台に新たな原稿がセットされたと判断することができる。
【００５２】
そして、システム制御部２１２は、ステップＳ１０２に移行し、スキャナー制御部２０１を制御し、スキャナー部２２０による新たな原稿の画像を読み取らせる。この場合、ステップＳ１０４での画像データをＲＡＭ２０５のワークエリアに一旦記憶させる際、前回記憶させた画像データに対し、新たな原稿の画像データを上書きさせるようにしてもよい。このようにすると、ステップＳ１１２においては、ＲＡＭ２０５のワークエリアに記憶されている上書きされた画像データを消去することができる。
【００５３】
次に、図４により、システム制御部２１２による、ＡＤＦ１１７にセットされた原稿の画像を、ユーザーの開始指示に先駆けて読み取る前処理について説明する。
【００５４】
（ステップＳ１２１）
まず、システム制御部２１２は、ＡＤＦ１１７に原稿がセットされたかどうかを判断する。この場合、システム制御部２１２は、センサー制御部２０７からの通知を待つ（ステップＳ１２１：Ｎｏ）。原稿検知センサー２２６がＡＤＦ１１７上の原稿を検出すると、センサー制御部２０７がシステム制御部２１２にＡＤＦ１１７上の原稿を検出したことを通知する。これにより、システム制御部２１２は、ＡＤＦ１１７に原稿がセットされたと判断する（ステップＳ１２１：Ｙｅｓ）。
【００５５】
（ステップＳ１２２）
システム制御部２１２は、ＡＤＦ制御部２０９を制御し、ＡＤＦ１１７による原稿の自動給紙を行わせる。
【００５６】
（ステップＳ１２３）
また、システム制御部２１２は、スキャナー制御部２０１を制御し、スキャナー部２２０による原稿の画像を読み取らせる。このとき、スキャナー制御部２０１は、スキャナー部２２０が対応している最高の解像度及び／又はカラーモードで原稿の画像を読み取らせてもよい。
【００５７】
（ステップＳ１２４）
システム制御部２１２は、スキャナー部２２０による原稿の画像の読み取りが終了したかどうか判断する。この場合、システム制御部２１２は、スキャナー制御部２０１からスキャナー部２２０による原稿の画像の読み取り終了の通知があるまで待ち（ステップＳ１２４：Ｎｏ）、スキャナー制御部２０１からスキャナー部２２０による原稿の画像の読み取り終了の通知があると、原稿の読み取りが終了したと判断する（ステップＳ１２４：Ｙｅｓ）。
【００５８】
（ステップＳ１２５）
システム制御部２１２は、スキャナー部２２０によって読み取られた原稿の画像データを、ＲＡＭ２０５のワークエリアに一旦記憶させる。
【００５９】
（ステップＳ１２６）
システム制御部２１２は、機能及び／又は条件の設定変更があるかどうかを判断する。ここでの機能と条件とは、上述した通りである。また、機能及び／又は条件の設定変更は、パネル部１１３による操作や携帯端末による操作によって行うことができるが、上記同様に、本実施形態ではパネル部１１３による操作によって行われるものとする。
この場合、システム制御部２１２は、操作制御部２０８からの設定変更の通知があると、機能及び／又は条件の設定変更があると判断する（ステップＳ１２６：Ｙｅｓ）。これに対し、システム制御部２１２は、操作制御部２０８からの設定変更の通知がなければ、機能及び／又は条件の設定変更がないと判断する（ステップＳ１２６：Ｎｏ）。
【００６０】
（ステップＳ１２７）
システム制御部２１２は、機能及び／又は条件の設定変更があると判断すると、操作制御部２０８からの設定変更の内容を保持する。なお、設定変更の内容の保持は、たとえばＲＡＭ２０５のワークエリアに記憶させることで行うことができる。
【００６１】
（ステップＳ１２８）
システム制御部２１２は、開始ボタンが操作されたかどうかを判断する。システム制御部２１２は、操作制御部２０８からの開始ボタンの操作ありの通知を待ち（ステップＳ１２８：Ｎｏ）、操作制御部２０８からの開始ボタンの操作ありの通知を受け取ると、開始ボタンが操作されたと判断する（ステップＳ１２８：Ｙｅｓ）。
【００６２】
（ステップＳ１２９）
システム制御部２１２は、開始ボタンが操作されると、画像処理部２１０に対してＲＡＭ２０５のワークエリアに記憶されている画像データに対する画像処理を行わせる。システム制御部２１２は、ステップＳ１２７で設定変更の内容を保持した場合、画像処理部２１０に対し、その保持した設定変更の内容で画像処理部２１０に対しＲＡＭ２０５のワークエリアに記憶されている画像データに対する画像処理を行わせる。
なお、上述したように、機能及び／又は条件の設定変更が行われないとき、以前の設定内容を引き継ぐことが多い。
この場合、システム制御部２１２は、ステップＳ１２６で機能及び／又は条件の設定変更がなければ、以前の設定内容で画像処理部２１０に対しＲＡＭ２０５のワークエリアに記憶されている画像データに対する画像処理を行わせる。
また、システム制御部２１２は、画像処理部２１０に対し、たとえばコピー機能に対する画像処理を行わせた際、画像処理部２１０による画像データに対する画像処理が終了すると、プリンター制御部２０２を介してプリンター部２２１による用紙への印刷を行わせる。
【００６３】
（ステップＳ１３０）
システム制御部２１２は、一連の処理が終了したかどうかを判断する。ここで一連の処理とは、画像処理部２１０に対する画像処理と、プリンター部２２１による用紙への印刷処理とを意味する。
この場合、システム制御部２１２は、画像処理部２１０からの画像処理の終了の通知と、プリンター制御部２０２からの印刷処理の終了の通知とを待ち（ステップＳ１３０：Ｎｏ）、画像処理部２１０からの画像処理の終了の通知と、プリンター制御部２０２からの印刷処理の終了の通知とを受け取ると、一連の処理が終了したと判断する（ステップＳ１３０：Ｙｅｓ）。
【００６４】
（ステップＳ１３１）
システム制御部２１２は、機能及び／又は条件の設定変更があるかどうかを判断する。この場合、システム制御部２１２は、上記同様に、操作制御部２０８からの設定変更の通知があると、機能及び／又は条件の設定変更があると判断し（ステップＳ１３１：Ｙｅｓ）、ステップＳ１２７に移行する。
これに対し、システム制御部２１２は、上記同様に、操作制御部２０８からの設定変更の通知がなければ、機能及び／又は条件の設定変更がないと判断する（ステップＳ１３１：Ｎｏ）。
【００６５】
（ステップＳ１３２）
システム制御部２１２は、ＡＤＦ１１７に新たな原稿がセットされたかどうかを判断する。この場合、システム制御部２１２は、センサー制御部２０７からの通知が無ければＡＤＦ１１７に新たな原稿がセットされないと判断し（ステップＳ１３２：Ｎｏ）、ステップＳ１３１に移行する。
これに対し、原稿検知センサー２２６がＡＤＦ１１７上の原稿を検出すると、センサー制御部２０７がシステム制御部２１２にＡＤＦ１１７上の新たな原稿を検出したことを通知する。これにより、システム制御部２１２は、ＡＤＦ１１７に新たな原稿がセットされたと判断する（ステップＳ１３２：Ｙｅｓ）。
【００６６】
（ステップＳ１３３）
システム制御部２１２は、ＡＤＦ１１７に新たな原稿がセットされたと判断すると、ＲＡＭ２０５のワークエリアに記憶されている画像データを消去する。
【００６７】
なお、システム制御部２１２は、ステップＳ１３２において、ＡＤＦ１１７に新たな原稿がセットされたと判断すると、ステップＳ１２２に移行し、新たな原稿の給紙を行わせるようにしてもよい。この場合、ステップＳ１２５での画像データをＲＡＭ２０５のワークエリアに一旦記憶させる際、前回記憶させた画像データに対し、新たな原稿の画像データを上書きさせるようにしてもよい。このようにすると、ステップＳ１３３においては、ＲＡＭ２０５のワークエリアに記憶されている上書きされた画像データを消去することができる。
【００６８】
また、システム制御部２１２による、ステップＳ１０５、Ｓ１２６での機能及び／又は条件の設定変更があるかどうかの判断、及びステップＳ１０７、Ｓ１２８での開始ボタンが操作されたかどうかの判断については、ステップＳ１０１での原稿台に原稿がセットされた後、又はステップＳ１２１でのＡＤＦに原稿がセットされた後であれば、いつ行ってもよい。
【００６９】
すなわち、たとえばステップＳ１０１〜Ｓ１１１の間、又はステップＳ１２１〜Ｓ１３２の間において、操作制御部２０８が機能及び／又は条件の設定変更を受け付けた場合、システム制御部２１２が操作制御部２０８からの設定変更の内容を保持する。この場合、たとえばＲＡＭ２０５のワークエリアに記憶させた前回の設定変更の内容を消去し、今回の設定変更の内容を新たに記憶させる。また、前回の設定変更の内容に今回の設定変更の内容を上書きしてもよい。
【００７０】
また、操作制御部２０８がたとえばステップＳ１０１〜Ｓ１０５の間、又はステップＳ１２１〜Ｓ１２６の間において開始ボタンの操作を受け付けた場合、システム制御部２１２が開始ボタンの操作を受け付けたことを、たとえばＲＡＭ２０５のワークエリアに記憶させておく。
【００７１】
そして、ステップＳ１０４、又はステップＳ１２８において、システム制御部２１２がたとえばＲＡＭ２０５のワークエリアに記憶させておいた開始ボタンの操作を受け付けたことを確認し、以降の処理を実行する。
【００７２】
このように、本実施形態では、システム制御部２１２が開始ボタンによる開始の指示に先駆け、原稿台のカバー１１５の開閉を検知する開閉検知センサー２２５（原稿セット検知部）、又は原稿を自動給紙するＡＤＦ（自動給紙装置）１１７にセットされた原稿を検知する原稿検知センサー（原稿セット検知部）２２６が原稿のセットを検知すると、スキャナー部２２０に対し原稿の画像を読み取らせ、スキャナー部２２０が読み取った画像データをＲＡＭ（メモリー）２０５のワークエリアに記憶させる。
【００７３】
そして、開始ボタンによる開始の指示があると、システム制御部２１２が画像処理部２１０に対し画像処理を指示し、プリンター制御部２０２、ＦＡＸ制御部２０３、ネットワーク制御部２０４などの各種機能実行部に対し画像処理された画像データに基づく各種機能を実行させた後、開閉検知センサー２２５（原稿セット検知部）、又は原稿検知センサー（原稿セット検知部）２２６による検知結果に応じて、ＲＡＭ（メモリー）２０５のワークエリアに記憶されている画像データを消去する。これにより、システム制御部２１２がＲＡＭ（メモリー）２０５のワークエリアに記憶されている画像データを容易かつ確実に消去するので、画像データの漏洩に対するセキュリティーを高めることができる。
【００７４】
また、本実施形態では、システム制御部２１２が開始ボタンによる開始の指示の後、再度、開始ボタンによる開始の指示があった場合、前回の開始の指示から今回の開始の指示までの間に機能及び／又は設定の変更があれば、画像処理部２１０に対し変更された機能及び／又は設定に基づく画像処理を指示し、各種機能実行部に対し画像処理された画像データに基づいて変更された機能を実行させた後、開閉検知センサー２２５（原稿セット検知部）、又は原稿検知センサー（原稿セット検知部）２２６による検知結果に応じて、ＲＡＭ（メモリー）２０５のワークエリアに記憶されている画像データを消去する。これにより、ユーザーの利便性を確保しつつ、セキュリティを維持することができる。
【００７５】
なお、本実施形態では、スキャナー部２２０が読み取った画像データをＲＡＭ２０５のワークエリアに記憶させる場合として説明したが、この例に限らず、ＨＤＤ２２７にワークエリアが設定されている場合は読み取った画像データをＨＤＤ２２７のワークエリアに記憶させ、一連の処理が終了後、上記同様に、ＨＤＤ２２７のワークエリアに記憶させた画像データを消去するようにしてもよい。
【符号の説明】
【００７６】
１００  ＭＦＰ
１０１  ＭＦＰ本体
１１０  読み取り部
１１１  フラットベット部
１１２  ボタン操作部
１１３  パネル部
１１４  排紙トレイ
１１５  カバー
１１６  給紙トレイ
１１７  ＡＤＦ
１２０  画像形成部
１２１  排紙トレイ
１３０  用紙供給部
１３１  給紙カセット
２００  制御部
２０１  スキャナー制御部
２０２  プリンター制御部
２０３  ＦＡＸ制御部
２０４  ネットワーク制御部
２０５  ＲＡＭ
２０６  ＥＥＰＲＯＭ
２０７  センサー制御部
２０８  操作制御部
２０９  ＡＤＦ制御部
２１０  画像処理部
２１１  ＨＤＤ制御部
２１２  システム制御部
２１３  データバス
２２０  スキャナー部
２２１  プリンター部
２２２  ＦＡＸ部
２２３  ネットワーク
２２４  開閉検知センサー
２２５、２２６  原稿検知センサー
２２７  ＨＤＤ
【図１】
2017034503.tif 000003
【図２】
2017034503.tif 000004
【図３】
2017034503.tif 000005
【図４】
2017034503.tif 000006